(57)【要約】【課題】  文字板の基材が限定されることなく多様なデザインの文字板と、暗い環境下においても時刻が視認可能で、多様な発色性を有する時計を実現する。【解決手段】  時計１０は、ムーブメント３０に装着される文字板６０と、文字板６０を覆う風防ガラス４０と、少なくとも文字板６０と風防ガラス４０とを保持する胴２０と、胴２０の内周面に沿って配設され、文字板６０と風防ガラス４０との間に形成される空間に対向する光射出面７２を有し、且つ文字板６０の断面方向を貫通する案内部７１の端面に設けれられる光入射面７３を有するリング形状の導光体７０と、光入射面７３に対向して配設されるＬＥＤ３５と、が備えられている。【選択図】      図２
2006226867.tif 000002
【特許請求の範囲】
【請求項１】
ムーブメントに装着される文字板と、
前記文字板を覆う風防ガラスと、
少なくとも前記文字板と前記風防ガラスとを保持する胴と、
前記胴の内周面に沿って配設され、前記文字板と前記風防ガラスとの間に形成される空間に対向する光射出面を有し、且つ前記文字板の断面方向を貫通する案内部の端面に設けられる光入射面を有するリング形状の導光体と、
前記光入射面に対向して配設される発光素子と、
が備えられていることを特徴とする時計。
【請求項２】
請求項１に記載の時計において、
前記文字板の表面の一部または全面に蓄光性塗料が塗布されていることを特徴とする時計。
【請求項３】
請求項１または請求項２に記載の時計において、
前記風防ガラスの内面に設けられる反射層が、前記導光体の上部を覆い、前記文字板の時刻指示部を視認可能な範囲が開口されていることを特徴とする時計。
【請求項４】
請求項１ないし請求項３のいずれか一項に記載の時計において、
前記導光体に設けられる前記光射出面と前記光入射面以外の部位に光反射層が設けられていることを特徴とする時計。
【請求項５】
請求項１ないし請求項３のいずれか一項に記載の時計において、
前記導光体の案内部の周面を取り囲む前記文字板の端面と、前記胴の内周面との少なくともいずれかに光反射層が設けられていることを特徴とする時計。
【請求項６】
請求項１ないし請求項５のいずれか一項に記載の時計において、
前記導光体の光入射面に凹部を形成し、前記発光素子が前記凹部の内部に配設されていることを特徴とする時計。
【発明の詳細な説明】
【技術分野】
【０００１】
本発明は、時計に関し、詳しくは照明付時計の構造に関する。
【背景技術】
【０００２】
従来、時針及び分針を有する時計装置（ムーブメント）に導光板を基材とした表示板（文字板）を配設し、導光板の裏面側に反射層を形成し、表面側に複数の発色層を形成し、反射層の開口部に発光素子としての発光ダイオードを備え、この発光ダイオードの発光によって、前述の複数の発色層を発色させ、背景、文字及び模様等を表示する時計というものが知られている（例えば、特許文献１参照）。
【０００３】
また、時針及び分針を有するアナログムーブメントと、液晶表示素子を備える時計において、透明基板からなり表面に蛍光体が塗布された文字板と、文字板表面の外周部に設けられる導光体としての見切り部材と、見切り部材の背部に設けられる紫外線発光素子とを備え、紫外線発光素子を発光することによって、蛍光体を発光させ、紫外線発光素子を発光しないときには、文字板が透過した状態になる時計というものが知られている（例えば、特許文献２参照）。
【０００４】
【特許文献１】特開２０００−３５６９６４号公報（第７，８頁、図１）
【特許文献２】特開２００３−９８９８８号公報（第５，６頁、図１，３）
【発明の開示】
【発明が解決しようとする課題】
【０００５】
このような特許文献１や特許文献２では、共に文字板が光透過性を有し、その表面に発色層、蛍光体等を塗布し、発光素子を発光させて文字板表面に文字、背景、模様等を表示するために、文字板基材としては透明な樹脂基板に限定され、文字板が金属製の質感が得られず、また、金属製の文字板のような様々な表面処理ができないために、デザインの多様性が得られないという課題がある。
【０００６】
また、文字板の基材が樹脂基板であることから、時計としての文字板の構造的強度を得るためには、金属製の文字板に比べ厚くしなければならず、時計が厚くなってしまうという課題も考えられる。
【０００７】
本発明の目的は、前述の課題を解決することを要旨とし、文字板の基材が限定されることなく多様なデザインの文字板と、暗い環境下においても時刻が視認可能で、多様な発色性を有する時計を実現することである。
【課題を解決するための手段】
【０００８】
本発明の時計は、ムーブメントに装着される文字板と、前記文字板を覆う風防ガラスと、少なくとも前記文字板と前記風防ガラスとを保持する胴と、前記胴の内周面に沿って配設され、前記文字板と前記風防ガラスとの間に形成される空間に対向する光射出面を有し、且つ前記文字板の断面方向を貫通する案内部の端面に設けられる光入射面を有するリング形状の導光体と、前記光入射面に対向して配設される発光素子と、が備えられていることを特徴とする時計。
ここで、導光体は、例えば一般の時計のダイヤルリングの形態に相当し、また、発光素子としては、例えばランプやＬＥＤ（Ｌｉｇｈｔ  Ｅｍｉｔｔｉｎｇ  Ｄｉｏｄｅ）等を採用することができる。
【０００９】
この発明によれば、発光素子を発光することで、この光は導光体を通り文字板の表面を照射するので、暗闇のような環境においても、文字板の表面を視認し、時刻を読むことができるという効果がある。
【００１０】
また、文字板の表面を発光素子で照射する構造であるため、文字板の基材は、金属製及び樹脂製等を使用することができ、材質が限定されない他、金属製を選択すれば、金属としての質感や表面処理により多様なデザインを提供することができる。また、樹脂製に比べ、構造的強度が高く、前述した従来技術のように文字板を導光体として用いる必要がないため薄く形成することができるため、時計も薄型化することができる。
【００１１】
また、本発明では、前記文字板の表面の一部または全面に蓄光性塗料が塗布されていることが好ましい。
【００１２】
このように、文字板に蓄光性塗料を塗布しているために、前述した発光素子の光と蓄光性塗料との混色により斬新な発色の時計を提供することができる。
【００１３】
また、本発明では、前記風防ガラスの内面に設けられる反射層が、前記導光体の上部を覆い、前記文字板の時刻指示部を視認可能な範囲が開口されていることが好ましい。
【００１４】
このように、風防ガラスに反射層を設けているために、導光体から射出される光がこの反射層で反射されて、文字板の表面を照射するために、導光体から直接射出される光と剛性され、より一層、時刻を視認しやすくすることができる。
【００１５】
また、前記導光体に設けられる前記光射出面と前記光入射面以外の部位に光反射層が設けられていることが好ましい。
【００１６】
発光素子が発光した光は、導光体を透過して光射出面から射出されるが、その際、光の入出部以外に反射層を設けているために、光入射面から光射出面に至る途中から光が漏れることを低減し、光の透過量を高めることができる。
【００１７】
また、前記導光体の案内部の周面を取り囲む前記文字板の端面と、前記胴の内周面との少なくともいずれかに光反射層が設けられていることが好ましい。
【００１８】
このようにすれば、導光体から漏れた光を文字板の端面及び胴の内周面の反射層によって、再び導光体に入射することができるので、光の透過量を一層高めることができる。
【００１９】
さらに、前記導光体の光入射面に凹部を形成し、前記発光素子が前記凹部の内部に配設されていることが望ましい。
【００２０】
従って、導光体と発光素子との距離が小さくなると共に、発光素子と導光体との間における光の漏洩を低減することができる。
【００２１】
また、前述した風防ガラス内面、導光体に反射層を設ける構造と、導光体の内部に発光素子を備える構造を組み合わせれば、なお一層、光の照射効率を高め、文字板の表面を明るく照射することができる。
【発明を実施するための最良の形態】
【００２２】
以下、本発明の実施の形態を図面に基づいて説明する。
図１〜図４は本発明に係る実施形態１の時計及び導光体が示され、図５には実施形態２、図６には実施形態３が示されている。
（実施形態１）
【００２３】
図１は、実施形態１に係る時計の外観平面図を示す。図１において、本実施形態の時計１０は、時計ケースを構成する胴２０と、胴内に収納される文字板６０と、時刻を表示する時針４５と分針４６と、文字板６０の外周部に備えられるリング形状の導光体７０とが備えられ、胴２０の外周側面には、時刻修正のためのりゅうず８０と、後述する発光素子としてのＬＥＤ３５を点灯操作するためのボタン８１と、が備えられている。
なお、時針４５、分針４６、文字板６０の表面を含めて時刻指示部と表すことがある。
【００２４】
文字板６０の外周部には、リング形状の導光体７０が装着されている。導光体７０は、一般の時計に用いられるダイヤルリングに相当する機能も有している。
本発明に係る構造については、図２以降で詳しく説明する。
【００２５】
図２は、本実施形態の照明に係る要部を示す部分断面図である。図２において、本実施形態の時計１０は、ムーブメント３０と、ムーブメント３０に装着された文字板６０と、文字板６０の外周に装着される導光体７０と、ムーブメント３０から植立された回転軸に装着される時針４５、分針４６と、を備え、ムーブメント３０の外周部を中枠５３によって、胴２０の段部２１に裏蓋５０とによって挟持されている。
【００２６】
胴２０の段部２１の上面には風防ガラス４０が接着剤等により貼着され、時計１０の内部は密閉されている。裏蓋５０と胴２０との接合部には、パッキン５５が設けられ、防水性を確保する構造としている。
【００２７】
文字板６０の外周部には、導光体７０の位置規制をするための導光体装着孔６１が開設され、導光体７０の裏面側に突出した案内部７１が文字板６０の断面方向を貫通して装着されている。導光体装着孔６１と案内部７１とは、導光体７０が所定位置に安定して装着される程度の遊嵌関係に設定されている。
【００２８】
導光体装着孔６１の内周面、及び胴２０の段部２１の内周面は、鏡面（全反射層）または細かい凹凸（乱反射層）を設け、光を効率よく反射する光反射層が形成されている（図示せず）。
なお、導光体装着孔６１は、文字板６０の外周部に切り欠き状の導光体案内部を形成してもよい。
【００２９】
導光体７０は、光透過率が高いアクリル系樹脂、ポリカーボネイト系樹脂、ＡＢＳ樹脂等が採用されており、風防ガラス４０と文字板６０の表面との間に突出し、時計表示部に対向して設けられる光射出面７２と、案内部７１の端面に設けられる光入射面７３とが形成され、風防ガラス４０の内面４１と文字板６０の表面との間で挟持されている。
【００３０】
ムーブメント３０の外周部には、光入射面７３に対向した位置に発光素子としてのＬＥＤ３５が備えられている。ＬＥＤ３５は、ムーブメント３０から延在された回路基板３１に接続され、ムーブメントに形成された空間３２内に配設されている。回路基板３１には、図示しない電源やＬＥＤ点灯制御回路、ボタン８１の押操作によってスイッチ入力する入力端子等が搭載されている。
【００３１】
ここで、ボタン８１を押操作すると、ＬＥＤ３５が点灯し、ＬＥＤ３５から射出された光は、導光体７０の光入射面７３から入り、導光体７０を透過して光射出面７２から文字板６０と風防ガラス４０によって形成された空間に配設される時刻表示部に射出され（図中、矢印Ａ方向）、時刻指示部としての文字板６０に形成された目盛６５、及び時針４５、分針４６を照射して、暗闇環境下においても、時刻を視認することができる。導光体７０は、光透過率が高い材料で形成されているため、光の減衰は少ない。
【００３２】
なお、ＬＥＤ３５は、複数備えることができ、発色光も一色に限らず、赤色、黄色、緑色等、任意に選択して使用することができ、それぞれの色を組み合わせて使用することができる。また、発光素子としては、ＬＥＤの他にランプや有機ＥＬ等を採用することができる。
【００３３】
この際、ＬＥＤ３５の点灯は、ボタン８１を押している時間に点灯させる、あるいは、タイマー機能を備え、ボタン８１を押した後、一定時間点灯を継続して消灯させることもできる。
【００３４】
続いて、本実施形態に係る導光体７０についてさらに詳しく説明する。
図３は、導光体７０の形状を示す部分平面図である。ここでは、文字板６０と導光体７０との関係について説明する。図３において、導光体７０は、文字板６０の外周形状に沿ってリング形状に形成されている。
【００３５】
導光体７０には、文字板６０に開設された導光体装着孔６１に挿入される円筒状の案内部７１が形成され、文字板載置面７５（図４（ａ）、参照）が、文字板６０の表面に載置され、文字板６０に装着されている。
なお、図３では、案内部７１は円筒状に形成されているが、案内部７１の平面形状は円筒形に限らず矩形でも、文字板外周に沿った壁状をしていてもよく、限定されるものではない。この際、導光体装着孔６１の形状も案内部７１の形状に対応した形状に設定される。
また、図３では、案内部７１は１個設けられているが、この数も１個に限らず、複数個設けることができる。
導光体７０の形状については、図４を参照してさらに詳しく説明する。
【００３６】
図４には、本実施形態による導光体７０の断面形状が示され（図３におけるＸ−Ｘ断面）、図４（ａ）には、その第１の実施例が、図４（ｂ）には、第２の実施例が示されている。図３も参照して説明する。図４（ａ）において、導光体７０は、時刻表示部（図２、参照）に向かって内周面に光射出面７２が、また、案内部７１の端面には光入射面７３が形成されている。
【００３７】
ここで、光射出面７２、光入射面７３両面以外の部位の面には、Ａｌ（アルミニウム）、Ａｇ（銀）等からなる光反射層７６が形成されている。この光反射層７６は、鏡面または乱反射面で形成されており、ＬＥＤ３５から入射された光が、光射出面７２以外の部位から拡散しないようにしている。
【００３８】
導光体７０は、前述したように、案内部７１が文字板６０に開設されている導光体装着孔６１に挿入された後、頂面７４と文字板載置面７５とが、風防ガラス４０と文字板６０の間で挟持されている。
【００３９】
次に、第２の実施例における導光体７０について説明する。第２の実施例に係る導光体７０の基本形状は第１の実施例と同じであり、同じ符号を附している。図４（ｂ）において、導光体７０の光射出面７２と光入射面７３以外の部位の表面には、細かい凹凸を有する光反射層７６が形成されている。この光反射層７６で導光体７０内に入射された光が乱反射され、光入射面７３から光射出面７２に至る途中から光が発散することを低減している。
なお、光射出面７２の表面に細かい凹凸を形成して、光射出面７２からの光の射出を均一化することができる。
【００４０】
従って、前述した実施形態１によれば、ＬＥＤ３５を発光することで、この光は導光体７０を通り文字板６０の表面を照射するので、暗闇のような環境においても、文字板の表面を視認し、時刻を読むことができるという効果がある。
【００４１】
また、文字板６０の表面をＬＥＤ３５からの光を照射する構造であるため、文字板６０の基材は、金属製及び樹脂製等が使用でき、材質が限定されない他、金属製を選択すれば、金属としての質感や表面処理により多様なデザインを提供することができる。また、樹脂製に比べ、構造的強度が高く、前述した従来技術のように文字板を導光体として用いる必要がないため薄く形成することができるため、時計１０も薄型化することができる。
【００４２】
また、導光体７０の光射出面７２と光入射面７３以外の部位に光反射層７６が設けられているために、ＬＥＤ３５が発光した光は、導光体７０を透過して光射出面７２から射出されるが、その際、光の入出部以外に反射層７６を設けているために、導光体７０の途中から光が漏れることを低減し、光の透過量を高めることができる。
【００４３】
さらに、導光体７０の光入射面（案内部７１の周囲）を取り囲む文字板端面（導光体装着孔６１の内周面）と、胴２０の段部２１の内周面とに光反射層が設けられているために、これらの反射層によって、導光体７０から漏れた光を再び導光体７０に入射することができるので、光の透過量を一層高めることができる。
（実施形態２）
【００４４】
次に、本発明に係る実施形態２について図面を参照して説明する。実施形態２は、時刻表示部をさらに明るく照射することを目的として、風防ガラス内面に光反射層、文字板６０の表面または目盛表面に蓄光性塗料を塗布することに特徴を有し、他の構成要素は、前述した実施形態１（図２、参照）と同じであるため説明を省略し、同じ符号を附して説明する。
【００４５】
図５は、実施形態２に係る時計１０の要部を示す部分断面図である。図５において、風防ガラス４０の内面４１の外周部には、ＡｌまたはＡｇ等の金属薄膜からなるリング状の光反射層４２が形成されている。この光反射層４２は、風防ガラス４０の外周から導光体７０の上部を覆う範囲に形成される。図５では、光反射層４２は、風防ガラス４０の外周から文字板６０に設けられる目盛６５、及び分針４６が風防ガラス４０側から視認できる範囲に形成されている。
【００４６】
ここで、ＬＥＤ３５から入射された光は光射出面７２から射出されるが、この際、風防ガラス４０に設けられた光反射層４２で反射されて時刻指示部を照射する。
【００４７】
なお、図５では、光反射層４２は、前述した範囲にリング状に形成されているが、この光反射層４２は、文字、模様、記号等を光の反射を妨げない範囲で設けてもよい。
【００４８】
また、目盛６５の表面には、蓄光性塗料が塗布されており、暗闇の環境下で蓄積した光を照射する。蓄光性塗料は時針４５、分針４６に塗布すればなお視認性を高めることができる。さらに、文字板６０の表面全体に塗布してもよく、目盛６５を含む文字板６０の表面の一部に塗布してもよい。蓄光性塗料としては、ＳｒＡｌ2Ｏ4：Ｅｕ，Ｄｙを主成分とするＮ夜光（Ｎ夜光は、根本特殊化学株式会社の商標）等を採用することができる。
この蓄光性塗料の色も複数色の中から選択して使用することができ、また混在して使用することもできる。
【００４９】
ＬＥＤ３５から射出される光は、蓄光性塗料の発光色と混色され、ＬＥＤ３５または蓄光性塗料それぞれ単独の色とは異なる色の発光色を射出する。
【００５０】
また、図５で示すように、風防ガラス４０に光反射層４２を設けることにより、光射出面７２から射出される光は、光反射層４２で反射され蓄光性塗料が塗布された目盛６５を含む周縁に照射し（図５、矢印Ｂ）、矢印Ａ方向の光と合成され目盛６５の視認性を高める。
【００５１】
なお、光反射層４２と蓄光性塗料とは、図５に示すように組み合わせて採用しても、それぞれ単独で採用することもできる。
【００５２】
従って、前述した実施形態２によれば、文字板６０表面の一部（目盛６５を含む）または全面に蓄光性塗料が塗布されているため、前述したＬＥＤ３５の光と蓄光塗料との混色により斬新な発色の時計を提供することができる。
【００５３】
また、風防ガラス４０に光反射層４２を設けているために、ＬＥＤ３５から射出される光が光反射層４２で反射されて、文字板６０の表面を照射するために、導光体７０から直接射出される光と合成され、より一層、時刻を視認しやすくすることができ、蓄光塗料が塗布された目盛６５や文字板６０の表面の光照射量を増すことができ、暗い環境下において視認性を高めることができる。
（実施形態３）
【００５４】
次に、本発明に係る実施形態３について図面を参照して説明する。実施形態３は、前述した実施形態１（図２、参照）とは、導光体７０とＬＥＤ３５との配置を変え、より一層、光の透過率を高めることを目的になされるもので、共通部分の説明を省略し、同じ符号を付与して説明する。
【００５５】
図６は、本発明の実施形態３に係る時計１０の要部を示す部分断面図である。図６において、導光体７０の案内部７１の端面（実施形態１の光入射面７３に相当）には、ＬＥＤ挿入凹部７７が穿設されている。そして、ＬＥＤ３５は、このＬＥＤ挿入凹部７７の内部に配設され、回路基板３１によってこのＬＥＤ挿入凹部７７は開口部が閉塞されている。
【００５６】
従って、前述した実施形態３によれば、さらに、導光体７０の光入射面にＬＥＤ挿入凹部７７を穿設し、ＬＥＤ３５をＬＥＤ挿入凹部７７に配設しているために、導光体７０とＬＥＤ３５との距離が小さくなると共に、ＬＥＤ３５と導光体７０との間における光の漏洩を低減することができる。
【００５７】
また、実施形態３と前述した実施形態２とを組み合わせることによって、なお一層、光の照射効率を高め、文字板６０の表面を明るく照射することができる。
【００５８】
なお、本発明は前述の実施形態に限定されるものではなく、本発明の目的を達成できる範囲での変形、改良等は本発明に含まれるものである。
例えば、前述の実施形態１〜実施形態３では、時計を例示して説明したが、本発明は時計に限らず、表示部を有する計測機器、電子機器等に応用することができる。
【００５９】
また、前述の実施形態１〜実施形態３では、平面視円形の導光体を例示して説明したが、導光体の形状は、時計の平面形状に対応して、平面視円形に限定されず、楕円形、矩形、三角形等にも対応できる。
【００６０】
また、本発明では、発光素子としてのＬＥＤ３５を点灯する手段としてボタン８１を備えているが、りゅうず８０にＬＥＤ点灯機能を備えることができる他、時計内部に姿勢センサーや加速度センサーを備え、時計の姿勢を所定の姿勢に変えたり、時計を振ってＬＥＤ３５を点灯することもできる。
【００６１】
従って、前述の実施形態１〜実施形態３によれば、文字板の基材が限定されることなく多様なデザインの文字板と、暗い環境下においても時刻が視認可能で、多様な発色性を有する時計を実現することができる。
【図面の簡単な説明】
【００６２】
【図１】本発明の実施形態１に係る時計を示す外観平面図。
【図２】本発明の実施形態１に係る時計の要部を示す部分断面図。
【図３】本発明の実施形態１に係る導光体の形状を示す部分平面図。
【図４】（ａ）は、本発明の実施形態１に係る第１の実施例の導光体を示す断面図、（ｂ）は、第２の実施例の導光体を示す断面図。
【図５】本発明の実施形態２に係る時計の要部を示す部分断面図。
【図６】本発明の実施形態３に係る時計の要部を示す部分断面図。
【符号の説明】
【００６３】
１０…時計、２０…胴、３０…ムーブメント、３５…発光素子としてのＬＥＤ、４０…風防ガラス、６０…文字板、７０…導光体、７２…光射出面、７３…光入射面。
【図１】
2006226867.tif 000003
【図２】
2006226867.tif 000004
【図３】
2006226867.tif 000005
【図４】
2006226867.tif 000006
【図５】
2006226867.tif 000007
【図６】
2006226867.tif 000008